(57)【要約】【課題】表示部（表示ユニット）の寸法に変動があった場合においても、光源部の着脱を容易にかつ確実に行うことができ、光学性能の変動を抑制することが可能となる表示装置を提供する。【解決手段】表示装置１０００は、本体２００と、本体２００に形成された開口を塞いで本体２００に取り付けられる表示部４００と、表示部４００の上方に配置され、表示部４００の上方から表示部４００に光を入射する光源部３００とを備える。本体２００は、表示部４００と係合する本体側表示部係合部（上側）２１８を有する。表示部４００は、本体２００の有する本体側表示部係合部（上側）２１８と係合する表示部側本体係合部（上側）４２３を有する。本体２００は、本体側表示部係合部（上側）２１８が表示部側本体係合部（上側）４２３と係合することのみで、表示部４００が下方へ移動することを拘束し、かつ、上下方向の表示部４００の位置を位置決めする。【選択図】図３
2014107249.tif 000002
【特許請求の範囲】
【請求項１】
下方から上方にわたり、前面の側に開口が形成された本体と、
前記本体に形成された前記開口の開口面に取り付けられる表示部と、
前記表示部の前記上方に配置され、前記表示部の前記上方から前記表示部に光を入射する光源部と
を備え、
前記本体は、
前記表示部と係合する係合部である本体側表示部係合部を有し、
前記表示部は、
前記本体の有する前記本体側表示部係合部と係合する係合部である表示部側本体係合部を有し、
前記本体は、
前記本体側表示部係合部が前記表示部側本体係合部と係合することのみで、前記表示部が前記下方へ移動することを拘束し、かつ、前記上方と前記下方とを結ぶ方向である上下方向の前記表示部の位置を位置決めすることを特徴とする表示装置。
【請求項２】
前記本体は、
前記開口と向かい合う後面と、前記後面の両側のうちの一方の側に前記下方から前記上方にわたり形成された第１の側面と、前記後面の両側のうちの他方の側に前記下方から前記上方にわたり形成された第２の側面とを有し、
前記本体は
前記本体側表示部係合部として、
前記第１の側面における前記第２の側面と向かい合う面である前記第１の側面の内面に形成された第１の本体側表示部係合部と、
前記第２の側面における前記第１の側面と向かい合う面である前記第２の側面の内面に形成された第２の本体側表示部係合部と
を有し、
前記表示部は、
前記表示部側本体係合部として、
前記第１の本体側表示部係合部と係合する第１の表示部側本体係合部と、
前記第２の本体側表示部係合部と係合する第２の表示部側本体係合部と
を有することを特徴とする請求項１記載の表示装置。
【請求項３】
前記本体は、
前記第１の本体側表示部係合部が前記第１の表示部側本体係合部と前記上下方向で当接し、かつ、前記第２の本体側表示部係合部が前記第２の表示部側本体係合部と前記上下方向で当接することのみで、前記表示部が前記下方へ移動することを拘束し、かつ、前記上下方向の前記表示部の位置を位置決めすることを特徴とする請求項２記載の表示装置。
【請求項４】
前記本体は、
前記第１の側面の内面における前記第１の本体側表示部係合部の前記下方に形成された係合部である第３の本体側表示部係合部を有し、
前記表示部は、
前記第３の本体側表示部係合部と係合する係合部である第３の表示部側本体係合部を有し、
前記第３の本体側表示部係合部は、
前記第３の表示部側本体係合部と係合することで前記開口と前記後面とを結ぶ方向である前後方向における前記表示部の移動を拘束すると共に、前記第３の表示部側本体係合部との間で、前記上下方向に隙間を形成することを特徴とする請求項３記載の表示装置。
【請求項５】
前記本体は、
前記下方において前記第１の側面の端部と前記第２の側面の端部とをつなぐ底面を有し、
前記第３の本体側表示部係合部は、
前記底面の内面から前記上方に向かって突起し、
前記第３の表示部側本体係合部は、
最も前記下方の部位が、前記底面の前記内面との間で前記上下方向に隙間を形成することを特徴とする請求項４記載の表示装置。
【請求項６】
前記光源部は、
前記表示部と係合する係合部である光源部側表示部係合部を有し、
前記表示部は、
前記光源部側表示部係合部と係合する係合部である表示部側光源部係合部を有し、
前記表示部は、
前記表示部側光源部係合部が前記光源部側表示部係合部と係合することで、前記光源部が前記上方及び前記下方へ移動することを拘束し、かつ、前記上下方向の前記光源部の位置を位置決めすることを特徴とする請求項２〜５のいずれかに記載の表示装置。
【請求項７】
前記第１の本体側表示部係合部は、
前記第１の側面の前記上方の端部から前記下方の端部までの長さのうち、前記上方の端部から前記下方に向かって、前記長さの１／４以上、１／２以下の範囲に形成され、
前記第２の本体側表示部係合部は、
前記第２の側面の前記上方の端部から前記下方の端部までの長さのうち、前記上方の端部から前記下方に向かって、前記長さの１／４以上、１／２以下の範囲に形成されたことを特徴とする請求項２〜６のいずれかに記載の表示装置。
【請求項８】
前記光源部は、
前記表示部が前記本体に取り付けられた状態で、前記表示部から着脱自在であることを特徴とする請求項１〜７のいずれか記載の表示装置。
【発明の詳細な説明】
【技術分野】
【０００１】
この発明は、例えば誘導灯などの表示装置に関する。
【背景技術】
【０００２】
少なくとも１面が開口した直方体状の本体と、発光面を有する表示部と、表示部に光を入射する光源を有する光源部とを有する装置において、本体に形成されたガイド壁と表示部に形成された係合突起を上下方向のスライドによって嵌め合わせ、表示部を本体に取り付けた状態で光源部が本体に着脱自在である誘導灯がある。（例えば、特許文献１、特許文献２参照。）
【先行技術文献】
【特許文献】
【０００３】
【特許文献１】特開２００２−０２３６７１号公報
【特許文献２】特開２０１０−２７７７９２号公報
【発明の概要】
【発明が解決しようとする課題】
【０００４】
特許文献１の表示用照明器具における表示ユニット２０（表示部）は、器具本体１０（本体）の側面に設けられた上下それぞれのガイド壁下部（規制片１８ａ）と表示ユニット２０の係合突起２４の下部により，上下方向の位置がきまる。この為、表示ユニット２０の寸法に変動があった場合は、ガイド壁下部（規制片１８ａ）を基準として位置が変動する。そのため、表示ユニット２０が規定の寸法より大きくなった場合は、ランプホルダユニット３０（光源部）の着脱に支障が発生する。また、表示ユニット２０が規定の寸法より小さくなった場合は、ランプホルダユニット３０と表示ユニット２０との間に隙間が発生する可能性があった。また、ランプホルダユニット３０と表示ユニット２０との間隔が変動した場合、光学特性も変動する可能性があった。また、特許文献２に記載の表示灯においては、光源部の位置が本体の取付部にて決定する為、表示板の寸法変動や破損が起きた場合は、光学性能が変動する可能性があった。
【０００５】
本発明は、表示部の寸法に変動があった場合においても取り付けに支障をきたさず、光学特性の変動を抑制することを目的とする。
【課題を解決するための手段】
【０００６】
この発明は、
下方から上方にわたり、前面の側に開口が形成された本体と、
前記本体に形成された前記開口の開口面に取り付けられる表示部と、
前記表示部の前記上方に配置され、前記表示部の前記上方から前記表示部に光を入射する光源部と
を備え、
前記本体は、
前記表示部と係合する係合部である本体側表示部係合部を有し、
前記表示部は、
前記本体の有する前記本体側表示部係合部と係合する係合部である表示部側本体係合部を有し、
前記本体は、
前記本体側表示部係合部が前記表示部側本体係合部と係合することのみで、前記表示部が前記下方へ移動することを拘束し、かつ、前記上方と前記下方とを結ぶ方向である上下方向の前記表示部の位置を位置決めすることを特徴とする。
【発明の効果】
【０００７】
本発明によれば、表示部（表示ユニット）の寸法に変動があった場合においても、光源部の着脱を容易にかつ確実に行うことができ、光学性能の変動を抑制することが可能となる。
【図面の簡単な説明】
【０００８】
【図１】実施の形態１の表示装置１０００を示す斜視図。
【図２】実施の形態１の表示装置１０００を示す４面図。
【図３】実施の形態１の表示装置１０００の分解斜視図。
【図４】実施の形態１の本体２００を示す斜視図。
【図５】実施の形態１の表示部４００を示す斜視図および部分拡大図（斜視図）。
【図６】実施の形態１の本体２００への表示部４００および光源部３００の取付手順を示す側面図。
【図７】図６の本体側表示部係合部（上側）２１８、表示部側本体係合部（上側）４２３との係合状態を示す図。
【図８】図６の本体側表示部係合部（下側）２１９、表示部側本体係合部（下側）４２４との係合状態を示す図。
【図９】実施の形態１の表示装置１０００における本体２００と表示部４００との組立て後の嵌合状態を示す側面図。
【図１０】実施の形態１の表示装置１０００における本体２００と表示部４００との光源部取付部を示す部分拡大図（斜視図）。
【図１１】実施の形態１の表示装置１０００における光源部３００の本体２００および表示部４００への取付部を示す部分拡大図（斜視図）。
【図１２】実施の形態１の表示装置１０００における本体２００と光源部３００との嵌合状態を示す部分断面図（水平断面）。
【図１３】実施の形態１の表示装置１０００における表示部４００と光源部３００との嵌合状態を示す部分断面図（縦断面）。
【図１４】実施の形態１の本体２００の側面の変形を示す図。
【発明を実施するための形態】
【０００９】
実施の形態１．
図１〜図１４を参照して実施の形態１の表示装置１０００（例えば誘導灯）を説明する。
図１は、実施の形態１の表示装置１０００の斜視図である。図２は、表示装置１０００の４面図である。（ａ）、（ｂ）、（ｃ）、（ｄ）は、それぞれ正面図、上面図、底面図、右側面図である。左側面図は省略したが右側面図と同じである。図３は表示装置１０００の分解斜視図である。また、本体２００と表示部４００との係合関係、光源部３００と、本体２００及び表示部４００との係合関係を示している。図４は本体２００の斜視図である。図５は表示部４００の斜視図および部分拡大図である。図６は本体２００への表示部４００および光源部３００の取付手順を示す側面図である。図７は、図６の本体側表示部係合部（上側）２１８、表示部側本体係合部（上側）４２３との係合状態を示す図である。図８は、図６の本体側表示部係合部（下側）２１９、表示部側本体係合部（下側）４２４との係合状態を示す図である。図９は、本体２００と表示部４００との組立て後の嵌合状態を示す側面図である。図１０は、本体２００と表示部４００との光源部取付部を示す部分拡大図（斜視図）である。図１１は、光源部３００の本体２００および表示部４００への取付部を示す部分拡大図（斜視図）である。図１２は、本体２００と光源部３００との嵌合状態を示す部分断面図（水平断面）である。図１３は、表示部４００と光源部３００との嵌合状態を示す部分断面図（縦断面）である。図１４は、表示部４００の変形と、表示部側本体係合部（上側）４２３との位置関係を示す図である。
【００１０】
図１、図３に示す様に、表示装置１０００は、本体２００と、ＬＥＤなどの光源を内蔵した光源部３００と、表示部４００とを備えている。本体２００は、図４に示すように、下方（Ｐ２側）から上方（Ｐ１側）にわたり、前面の側に開口２０１が形成されている。図３に示すように、表示部４００は、本体２００に形成されたこの開口２０１を塞いで本体２００に取り付けられる。図３に示すように、光源部３００は表示部４００の上方に配置され、表示部４００の上方から表示部４００に光を入射する。表示部４００は、本体２００に形成された開口２０１の開口面に取り付けられるが、これによって、作業者が光源部３００を取り付ける際に不用意に本体２００の内部の部品、配線等に触れることを防止することができる。
【００１１】
（本体２００、光源部３００、表示部４００の係合関係）
本実施の形態の表示装置１０００は、本体２００と表示部４００との係合関係、あるいは光源部３００と「本体２００、表示部４００」との係合関係に特徴がある。そこで、図３を参照して、まず係合関係を述べておく。図３の矢印は係合関係を示している。なお、係合相手が見えない場合は、対称位置に配置された部品を破線の矢印で結んだ。つまり破線で示した関係は実際の係合相手ではなく、実際の係合相手の対称位置に配置されたものを便宜的に示した。
【００１２】
（本体２００と表示部４００との係合関係）
（１）本体側表示部係合部（上側）２１８と表示部側本体係合部（上側）４２３とが係合し、
（２）本体側表示部係合部（下側）２１９（第３、第４の本体側表示部係合部（左右両側））と表示部側本体係合部（下側）４２４（第３、第４の表示部側本体係合部（左右両側））とが係合する。本体側表示部係合部（下側）２１９は、表示部側本体係合部（下側）４２４と係合することで開口２０１と後面２０２とを結ぶ方向である前後方向（図４）における表示部４００の移動を拘束すると共に、表示部側本体係合部（下側）４２４との間で、上下方向に隙間（後述のｂ寸法）を形成する。
（３）本体２００は、本体側表示部係合部（上側）２１８が表示部側本体係合部（上側）４２３と係合することのみで、表示部４００が下方（図４でＰ１からＰ２へ向かう方向）へ移動することを拘束し、かつ、上方（Ｐ１側）と下方（Ｐ２側）とを結ぶ方向である上下方向（図３）の表示部４００の位置を位置決めする。
【００１３】
（光源部３００と本体２００との係合関係）
（１）光源部側本体係合部３２９（図１１）と本体側光源部係合部２２６（図１０）とが係合し、
（２）さらに光源部側本体上部係合部３３０（図１１）と本体側光源部移動抑止部２２５（図１０）とが係合する。
【００１４】
（光源部３００と表示部４００との係合関係）
光源部側表示部係合部３２８が表示部側光源部係合部４２７と係合する。
【００１５】
（本体２００）
また、図２、図４に示す様に、本体２００の内部には補強金具２１４、電源端子台２１５、バッテリ２１６、操作部２１０、点灯装置２１７が配設されている。
【００１６】
また、本体２００は、天井や壁面に表示装置１０００を取付ける為の上面側取付穴２０６、上面側電源穴２０５、背面側取付穴２１１、２１３、背面側電源穴２１２を有している。
【００１７】
（本体２００の表示部４００との係合部）
また、本体２００は、表示部４００が取付けられる為の本体側表示部係合部（上側）２１８および本体側表示部係合部（下側）２１９を有している。本体側表示部係合部（上側）２１８と本体側表示部係合部（下側）２１９は本体２００の左右に対称形状にて設けられている。図４において、左側を本体側表示部係合部（上側）２１８−１（第１の本体側表示部係合部）と本体側表示部係合部（下側）２１９−１（第３の本体側表示部係合部）と呼び、右側を本体側表示部係合部（上側）２１８−２（第２の本体側表示部係合部）と本体側表示部係合部（下側）２１９−２（第４の本体側表示部係合部）と呼ぶ。特に左右を区別する必要のない場合は、単に本体側表示部係合部（上側）２１８、本体側表示部係合部（下側）２１９と呼ぶ。
【００１８】
（本体２００の光源部３００との係合部）
さらに図１０に示す様に、本体２００は、光源部３００が取付けられる為の本体側光源部係合部２２６を有している。本体側光源部係合部２２６は本体２００の左右に対称形状に設けられている。本体側光源部係合部２２６は、光源部３００の光源部側本体係合部３２９（図１１）と係合する。また本体２００は、本体側光源部移動抑止部２２５（図４、図１０）を有する。この本体側光源部移動抑止部２２５の下側側面（低面）に光源部３００の光源部側本体上部係合部３３０（図１１）の上側面（上面）が当接することで、光源部３００の上下方向（図３）の移動が抑止される。
【００１９】
点灯装置２１７は外部電源により光源部３００を点灯させる機能、バッテリ２１６を充電する機能、外部電源が遮断された場合にバッテリ２１６の電力により光源部３００を点灯させる機能、バッテリ２１６が規定の時間、光源部３００を点灯可能か点検を実施する機能、光源部３００が正常に点灯するかを確認する機能を有している。
【００２０】
図２（ｃ）に示すように、操作部２１０はモニタ２０７、点検用スイッチ２０８、受光部２０９を有している。図２（ｃ）に示すように、モニタ２０７、点検用スイッチ２０８、受光部２０９で操作部２１０をなす。点検用スイッチ２０８を操作することで点灯装置２１７が規定の点検動作を実施し、その結果をモニタ２０７の表示により外部へ報知する。モニタ２０７は点検結果の表示機能の他に、点検中である旨の表示、バッテリ２１６の充電状態や、光源部３００の接続状態、光源部３００の寿命を表示することが可能である。
【００２１】
また、受光部２０９は点検用スイッチ２０８の操作の代わりに、リモコンによる点検動作の開始信号を受信し、点灯装置２１７に点検動作を実施させる。
【００２２】
（表示部４００）
表示部４００は図５に示す様に、導光体４２０、表示板４２１、表示板ケース４２２により構成される。表示板ケース４２２と導光体４２０との間には図示しない反射シートが配設される場合があり、また導光体４２０と表示板４２１との間には図示しない光学シートが配設される場合がある。
【００２３】
（表示部４００の本体２００との係合部）
また図５に示すように、表示板ケース４２２の背面側には本体２００に表示部４００を取付ける為の表示部側本体係合部（上側）４２３−１（第１の表示部側本体係合部）、表示部側本体係合部（上側）４２３−２（第２の表示部側本体係合部）、表示部側本体係合部（下側）４２４−１（第３の表示部側本体係合部）、表示部側本体係合部（下側）４２４−２（第４の表示部側本体係合部）を有している。図５に示すように、表示部側本体係合部（上側）４２３と表示部側本体係合部（下側）４２４とは、表示板ケース４２２の左右でひと組の対称形状に設けられている。つまり、表示部側本体係合部（上側）４２３−１、４２３−２と、表示部側本体係合部（下側）４２４−１、４２４−２とが形成されている。
【００２４】
（光源部３００の係合部）
光源部３００は図１１に示す様に、光源部側本体上部係合部３３０、光源部側本体係合部３２９、光源部側表示部係合部３２８を有している。光源部３００は表示部４００の上側に配置され、表示部４００及び本体２００と係合することで本体２００（及び表示部４００）に取付けられる。
【００２５】
図６は表示装置１０００の本体２００に対する表示部４００および光源部３００の取付方法を示す図である。
（１）表示部４００は本体２００に対し上から下方向へのスライド（図６（ｂ））によって取付けられる。
（２）表示部４００が本体２００に取付けられたのちに、光源部３００を器具前面側より本体２００および表示部４００に嵌合させ、取付ける（図６（ｃ））。
【００２６】
図７は、図６における上側の係合部（表示部側本体係合部（上側）４２３、本体側表示部係合部（上側）２１８）を示す図である。図７の（ａ）は図６の（ａ）に対応し、図７の（ｂ１）、（ｂ２）は図６の（ｂ）に対応し、図７の（ｃ１）、（ｃ２）は図６の（ｃ）に対応する。なお（ｃ１）では本体側表示部係合部（上側）２１８−２全体を破線で示した。また（ｃ２）では本体側表示部係合部（上側）２１８−２のうち隠れた部分を破線で示した。（ｂ２）は（ｂ１）のＸ方向矢視に相当し、（ｃ２）は（ｃ１）のＸ方向矢視に相当する。また、図８は、図６における下側の係合部（表示部側本体係合部（下側）４２４、本体側表示部係合部（下側）２１９）を示す図であり、図６との関係は図７と同様である。
【００２７】
図９は図６（ｃ）と同じ図であり、本体２００と表示部４００との嵌合状態を示す図である。表示部４００に配設された表示部側本体係合部（上側）４２３および表示部側本体係合部（下側）４２４は、図３等でも示したように、本体２００の本体側表示部係合部（上側）２１８および本体側表示部係合部（下側）２１９にそれぞれ対応して係合する。表示部４００を本体２００の上側から下へスライド（図６（ｂ））させることで、それぞれが嵌合し、表示部４００が本体２００へ取付けられる。表示部４００の位置は表示部側本体係合部（上側）４２３の下部４２３ａ（図７）と本体側表示部係合部（上側）２１８の上部２１８ａ（図４、図７）とが当接することで図中のａ寸法（図７、図９）が決定される。その際、表示部側本体係合部（下側）４２４と本体側表示部係合部（下側）２１９の上部は当接していない状態である（（図８、図９）ｂ寸法部）。また、図８、図９に示すｃ寸法（上下方向の隙間）についても当接していない状態となっている。
【００２８】
図７、図９に示すａ寸法が０（ゼロ）となっている時に、表示部４００は本体２００との位置が決定される。このとき、図８、図９に示すように、ｂ寸法（上下方向の隙間）およびｃ寸法は０となっていない。よって、表示部４００の寸法が製品バラツキによって大きいものである場合においても、ｂ寸法およびｃ寸法のどちらか小さい方の寸法までは、表示部側本体係合部（下側）４２４と本体側表示部係合部（下側）２１９とは当接しない。
【００２９】
その為、表示部４００の寸法が大きめである場合においても、ａ寸法が０となっている状態を基準としてｂ寸法およびｃ寸法が小さくなるのみで、本体２００と表示部４００の嵌合には影響しない。また、表示部４００の寸法が大きめである場合にはａ寸法が０となっている状態を基準としてｂ寸法およびｃ寸法が小さくなる方向に表示部４００が方へ移動するとみることができるが、ｂ寸法およびｃ寸法が確保されていれば表示部側本体係合部（下側）４２４と本体側表示部係合部（下側）２１９とは当接しないから、寸法変動により表示部４００の上下方向に力がかかることがなく、本体前後方向の反り（膨らみ）が発生することは無い。
【００３０】
なお、表示部４００に成型後において本体前後方向への反りが発生している場合は図９におけるｄ寸法にクリアランスを設ける設計とすることで、表示部４００の本体２００への取付時に、表示部４００の反りを吸収することが可能である。その際、ｄ寸法のクリアランスは光源部３００を本体前面側から取付けることでほぼ０とすることが可能である。
【００３１】
また、表示部４００の寸法が小さめのものである場合においてもａ寸法は０であるから、ａ寸法が０となっている状態を基準として、ｂ寸法およびｃ寸法が大きくなるのみで、嵌合には影響しない。
いずれの場合においても、つまり表示部４００の上下方向（図３）の寸法が大きめの場合及び小さめの場合においてもａ寸法が０となっている状態を基準として、ｂ寸法およびｃ寸法が変化する方向で位置が変動するので、基準となるａ寸法の位置が重要となる。製造される表示板４２１の製品群において表示板４２１の寸法変化が、体積的に発生している場合、ａ寸法（つまり表示部側本体係合部（上側）４２３）からの距離が離れるほど変形した場合の移動量が大きくなる。つまり変形量は積み重ねとなるから表示部側本体係合部（上側）４２３から遠い位置ほど変形量が大きくなる。このため、設計上、ａ寸法（表示部側本体係合部（上側）４２３）からの距離を小さくすることで、変形時の移動量（変形量、つまり上下方向の変化量）を小さくすることが可能である。
【００３２】
つまり、表示装置１０００においては、光源部３００と表示部４００の位置関係が光学性能に影響する為（表示部４００の導光体４２０と光源部３００の距離によって光学性能が変動する）、ａ寸法の位置（表示部側本体係合部（上側）４２３の位置）は光源部３００側にすることで、表示装置１０００の下面側に寸法変化に対する移動量を吸収させている。言い換えば、下側の表示部側本体係合部（下側）４２４と本体側表示部係合部（下側）２１９とをａ寸法（ゼロ）とすることもできるが、その場合、寸法変化の積算が上側、つまり光源側に出現するため、光源部３００と表示部４００の入光部との位置関係が変化する。そのため表示装置１０００では光源部３００側の上側の表示部側本体係合部（上側）４２３の位置をａ寸法の位置としている。なお、本体２００と表示部４００の下部（底部）の合わせ面付近のラップ代を想定される寸法変化に対し適切な寸法に調整することで、各寸法変化に対し、隙間が発生しない様にすることが可能である。
【００３３】
（本体２００及び表示部４００の光源部３００の係合部）
図１０は、本体２００および表示部４００の光源部３００に対する係合部を示す図である。本体２００の上側面には本体側光源部係合部２２６が左右にそれぞれ対称形状で設けられている（図３）。また、表示部４００の上部には表示部側光源部係合部４２７が左右にそれぞれ対称形状に設けられている（図３）。
【００３４】
（光源部３００の係合部）
図１１は、光源部３００の本体２００および表示部４００に対する係合部を示す図である。冒頭で図３を参照して述べたように、光源部３００には光源部側本体係合部３２９（本体２００の本体側光源部係合部２２６に対応）および光源部側本体上部係合部３３０（本体側光源部移動抑止部２２５に対応）、光源部側表示部係合部３２８（表示部４００の表示部側光源部係合部４２７に対応）が設けられている。
【００３５】
図１２は本体２００と光源部３００の係合状態を示す断面図である。図１２は、図２（ｄ）におけるＢ−Ｂ断面に相当する。また、図１２は、図１１の光源部３００が表示部４００及び本体２００と係合した後にＢ−Ｂ切断面で切断したＢ−Ｂ断面をＢ方向から見た図である。光源部３００に設けられた光源部側本体係合部３２９は、本体２００の前面側から本体２００に取付けられる。その際、光源部側本体係合部３２９は本体側光源部係合部２２６を弾性変形しながらのりこえ、弾性により形状が戻ることで本体側光源部係合部２２６に嵌合し取付けられる。
【００３６】
図１３は光源部３００と表示部４００との係合状態を示す断面図である。図１３は、図２（ｄ）におけるＣ−Ｃ断面に相当する。また、図１３は、図１１の光源部３００が表示部４００及び本体２００と係合した後にＣ−Ｃ切断面で切断したＣ−Ｃ断面をＣ方向から見た図である。光源部３００に設けられた光源部側表示部係合部３２８は表示部４００に設けられた表示部側光源部係合部４２７の手前の小突起４２８（図１０）を弾性変形しながらのりこえ、弾性により形状が戻ることで表示部側光源部係合部４２７に嵌合し、取付けられる。嵌合状態は図１３の様になる為、上下方向の移動が規制され、光源部３００と表示部４００との位置関係（上下方向の位置関係）はクリアランス以上の変動は起こらない。その為、表示装置１０００の光学特性の変動を抑制することが可能となる。なお、光源部３００の光源部側本体上部係合部３３０と本体２００の本体側光源部移動抑止部２２５が当接することで、光源部３００と表示部４００が同時に移動し、本体２００から外れることを防止することができる。
【００３７】
上記構成とすることにより、表示部４００の寸法に変動があった場合においても、光源部３００の着脱を容易にかつ確実に行うことができ、表示装置１０００の光学性能の変動を抑制することが可能となる。
【００３８】
図１４は、表示装置１０００における本体２００に発生する「反りΔＢ」を説明する図である。本体２００は、成型すると図１４のように第１の側面２２１及び第２の側面２２２に変形（ΔＢで示す反り）が生じる。本体２００については、図４及び図１４に示すように、長さＬ１は上方の端部Ｐ１から本体側表示部係合部（上側）２１８までの長さである。長さＬ２は上方の端部Ｐ１から下方の端部Ｐ２までの長さであり、第１の側面２２１の上下方向の長さである。本体側表示部係合部（上側）２１８の位置を示す長さＬ１は、第１の側面２２１の上下方向の長さを示す長さＬ２に対して、長さＬ２の１／４以上、１／２以下の範囲である。例えばＬ１は、Ｌ２の略１／３程度の長さである。この本体２００に対応して、表示部４００では図５に示すように、上方の端部Ｐ３、下方の端部Ｐ４が、それぞれ本体２００の上方の端部Ｐ１、下方の端部Ｐ２に対応する。つまり表示部４００の場合は、表示板ケース４２２の側面長さＨ２に対して、上方の位置Ｐ３からの表示部側本体係合部（上側）４２３の長さＨ１が、長さＨ２の１／４以上、１／２以下の範囲である。例えばＨ１は、Ｈ２の略１／３程度の長さである。すなわち表示部側本体係合部（上側）４２３は、上下方向でみて、上方の端部Ｐ３に対して、下方の端部Ｐ４の方向に配置されている。表示部側本体係合部（上側）４２３は、このような位置で本体２００の本体側表示部係合部（上側）２１８と係合するから、図１４に示すように、本体２００第１の側面２２１、第２の側面２２２は、矢印Ｗの方向に、反りΔＢが矯正されることになる。以上のように、本体側表示部係合部（上側）２１８、表示部側本体係合部（上側）４２３を上方の端部に対して、下方の端部よりに配置したので、表示部側本体係合部（上側）４２３を本体側表示部係合部（上側）２１８に係合させる際に、反りΔＢをもとのまっすぐな形状に戻す効果が有る。
【符号の説明】
【００３９】
２００  本体、２０１  開口、２０５  上面側電源穴、２０６  上面側取付穴、２０７  モニタ、２０８  点検用スイッチ、２０９  受光部、２１０  操作部、２１１  背面側取付穴、２１２  背面側電源穴、２１３  背面側取付穴、２１４  補強金具、２１５  電源端子台、２１６  バッテリ、２１７  点灯装置、２１８  本体側表示部係合部（上側）、２１８ａ  上部、２１９  本体側表示部係合部（下側）、２２５  本体側光源部移動抑止部、２２６  本体側光源部係合部、３００  光源部、３２８  光源部側表示部係合部、３２９  光源部側本体係合部、３３０  光源部側本体上部係合部、４００  表示部、４２０  導光体、４２１  表示板、４２２  表示板ケース、４２３  表示部側本体係合部（上側）、４２４  表示部側本体係合部（下側）、４２７  表示部側光源部係合部、１０００  表示装置。
【図１】
2014107249.tif 000003
【図２】
2014107249.tif 000004
【図３】
2014107249.tif 000005
【図４】
2014107249.tif 000006
【図５】
2014107249.tif 000007
【図６】
2014107249.tif 000008
【図７】
2014107249.tif 000009
【図８】
2014107249.tif 000010
【図９】
2014107249.tif 000011
【図１０】
2014107249.tif 000012
【図１１】
2014107249.tif 000013
【図１２】
2014107249.tif 000014
【図１３】
2014107249.tif 000015
【図１４】
2014107249.tif 000016